【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
被めっき物上に黒色のクロム層を堆積させるための電気めっき浴であって、
（Ａ）３価クロムイオン；
（Ｂ）カルボキシレートイオン；
（Ｃ）少なくとも１種のｐＨ緩衝剤物質；及び
（Ｄ）一般式（Ｉ）
【化１】
2014513214.tif 000001
（式中、
ｎ、ｐ、ｑは互いに独立して０〜４の整数であり；
Ｒ１は−Ｈ、−ＯＨ、−ＣＯＯＨ、−ＣＯ−ＯＣＨ３、−ＣＯ−ＯＣＨ２−ＣＨ３、−（−Ｏ−ＣＨ２−ＣＨ２−）ｍ−ＯＨ、−ＣＨ（−ＮＨ２）−ＣＯＯＨ、−ＣＨ（−ＮＨ−ＣＨ３）−ＣＯＯＨ、−ＣＨ（−Ｎ（−ＣＨ３）２）−ＣＯＯＨ、−ＣＨ（−ＮＨ２）−ＣＯ−ＯＣＨ３、−ＣＨ（−ＮＨ２）−ＣＯ−ＯＣＨ２−ＣＨ３、−ＣＨ（−ＮＨ２）−ＣＨ２−ＯＨ、−ＣＨ（−ＮＨ−ＣＨ３）−ＣＨ２−ＯＨ、−ＣＨ（−Ｎ（−ＣＨ３）２）−ＣＨ２−ＯＨ、−ＳＯ３Ｈを表し；
ｍは５〜１５の整数を表し；
Ｒ２は−Ｈ、−ＯＨ、−（ＣＨ２−）ｐ−ＯＨ、−（ＣＨ２−）ｐ−Ｃ（−ＮＨ２）＝ＮＨ、−ＣＨ２−ＣＨ２−（−Ｏ−ＣＨ２−ＣＨ２−）ｍ−ＯＨ、−Ｒ５、−（ＣＨ２−）ｑ−ＣＯＯＨ、−（ＣＨ２−）ｑ−ＣＯ−ＯＣＨ３、−（ＣＨ２−）ｑ−ＣＯ−ＯＣＨ２−ＣＨ３、−（ＣＨ２−）ｑ−Ｓ−（ＣＨ２−）２−ＯＨ、−ＣＳ−ＣＨ３、−ＣＳ−ＣＨ２−ＣＨ３、−ＣＳ−ＣＨ２−ＣＨ２−ＣＨ３、−ＣＮ
【化２】
2014513214.tif 000002
を表し；
Ｒ１及びＲ２は一緒に、式（Ｉ）の中央の硫黄原子を含む以下の環構造
【化３】
2014513214.tif 000003
のうちの１つを構成するための直鎖構造を表し；
Ｒ５は−Ｈ、−ＣＨ３、−ＣＨ２−ＣＨ３、−ＣＨ２−ＣＨ２−ＣＨ３、−ＣＨ２−ＣＨ２−ＣＨ２−ＣＨ３を表し；
Ｒ６、Ｒ７、Ｒ８、Ｒ９は互いに独立して−Ｈ、−ＮＨ２、−ＳＨ、−ＯＨ、−ＣＨ３、−ＣＨ２−ＣＨ３、−ＣＯＯＨ、−ＳＯ３Ｈを表す）
を有するか又は一般式（ＩＩ）
【化４】
2014513214.tif 000004
（式中、
＝Ｘは＝Ｏ、孤立電子対を表し；
Ｒ３は−Ｒ５、−ＣＨ＝ＣＨ２、−ＣＨ２−ＣＨ＝ＣＨ２、−ＣＨ＝ＣＨ−ＣＨ３、−ＣＨ２−ＣＨ２−ＣＨ＝ＣＨ２、−ＣＨ２−ＣＨ＝ＣＨ−ＣＨ３、−ＣＨ＝ＣＨ−ＣＨ２−ＣＨ３、−Ｃ≡ＣＨ、−ＣＨ２−Ｃ≡ＣＨ、−Ｃ≡Ｃ−ＣＨ３、−ＣＨ２−ＣＨ２−Ｃ≡ＣＨ、−ＣＨ２−Ｃ≡Ｃ−ＣＨ３、−Ｃ≡Ｃ−ＣＨ２−ＣＨ３、−Ｃ（−ＮＨ２）＝ＮＨ、
【化５】
2014513214.tif 000005
を表し；
Ｒ４は−Ｒ５、−ＯＲ５、−（ＣＨ２−）ｒ−ＣＨ（−ＮＨ２）−ＣＯＯＨ、−（ＣＨ２−）ｒ−ＣＨ（−ＮＨ−ＣＨ３）−ＣＯＯＨ、−（ＣＨ２−）ｒ−ＣＨ（−Ｎ（−ＣＨ３）２）−ＣＯＯＨ、−（ＣＨ２−）ｒ−ＣＨ（−ＮＨ２）−ＣＯ−ＯＣＨ３、−（ＣＨ２−）ｒ−ＣＨ（−ＮＨ２）−ＣＯ−ＯＣＨ２−ＣＨ３を表し；
ｒは０〜４の整数であり；
Ｒ３及びＲ４は一緒に式（ＩＩ）の中央の硫黄原子を含む以下の環構造
【化６】
2014513214.tif 000006
のうちの１つを構成するための直鎖構造を表し；
Ｒ１０は−Ｈ、−ＣＨ３、−ＣＨ２−ＣＨ３、−ＣＨ２−ＣＨ２−ＳＯ３Ｈを表す）
を有する硫黄含有化合物又はその塩、互変異性形、ベタイン構造；又は式（Ｉ）の化合物又はその塩、互変異性形、ベタイン構造の混合物；又は式（ＩＩ）の化合物又はその塩、互変異性形、ベタイン構造の混合物；及び式（Ｉ）及び（ＩＩ）の化合物又はその塩、互変異性形、ベタイン構造の混合物から選択される少なくとも１種の着色剤；及び
Ｅ）第一鉄イオン
を含む、前記電気めっき浴。
【請求項２】
被めっき物上に黒色のクロム層を堆積させるための電気めっき浴であって、前記電気めっき浴が、
（Ｅ’）３価クロムイオン；
（Ｆ）カルボキシレートイオン；
（Ｇ）少なくとも１種のｐＨ緩衝剤物質；及び
（Ｈ）一般式（Ｉ）
【化７】
2014513214.tif 000007
（式中、
ｎ、ｐ、ｑは互いに独立して０〜４の整数であり；
Ｒ１は−Ｈ、−ＯＨ、−ＣＯＯＨ、−ＣＯ−ＯＣＨ３、−ＣＯ−ＯＣＨ２−ＣＨ３、−（−Ｏ−ＣＨ２−ＣＨ２−）ｍ−ＯＨ、−ＣＨ（−ＮＨ２）−ＣＯＯＨ、−ＣＨ（−ＮＨ−ＣＨ３）−ＣＯＯＨ、−ＣＨ（−Ｎ（−ＣＨ３）２）−ＣＯＯＨ、−ＣＨ（−ＮＨ２）−ＣＯ−ＯＣＨ３、−ＣＨ（−ＮＨ２）−ＣＯ−ＯＣＨ２−ＣＨ３、−ＣＨ（−ＮＨ２）−ＣＨ２−ＯＨ、−ＣＨ（−ＮＨ−ＣＨ３）−ＣＨ２−ＯＨ、−ＣＨ（−Ｎ（−ＣＨ３）２）−ＣＨ２−ＯＨ、−ＳＯ３Ｈを表し；
ｍは５〜１５の整数を表し；
Ｒ２は−Ｈ、−ＯＨ、−（ＣＨ２−）ｐ−ＯＨ、−（ＣＨ２−）ｐ−Ｃ（−ＮＨ２）＝ＮＨ、−ＣＨ２−ＣＨ２−（−Ｏ−ＣＨ２−ＣＨ２−）ｍ−ＯＨ、−Ｒ５、−（ＣＨ２−）ｑ−ＣＯＯＨ、−（ＣＨ２−）ｑ−ＣＯ−ＯＣＨ３、−（ＣＨ２−）ｑ−ＣＯ−ＯＣＨ２−ＣＨ３、−（ＣＨ２−）ｑ−Ｓ−（ＣＨ２−）２−ＯＨ、−ＣＳ−ＣＨ３、−ＣＳ−ＣＨ２−ＣＨ３、−ＣＳ−ＣＨ２−ＣＨ２−ＣＨ３、
【化８】
2014513214.tif 000008
であり；
Ｒ１及びＲ２は一緒に、式（Ｉ）の中央の硫黄原子を含む以下の環構造
【化９】
2014513214.tif 000009
のうちの１つを構成するための直鎖構造を表し；
Ｒ５は−Ｈ、−ＣＨ３、−ＣＨ２−ＣＨ３、−ＣＨ２−ＣＨ２−ＣＨ３、−ＣＨ２−ＣＨ２−ＣＨ２−ＣＨ３を表し；
Ｒ６、Ｒ７、Ｒ８、Ｒ９は互いに独立して−Ｈ、−ＮＨ２、−ＳＨ、−ＯＨ、−ＣＨ３、−ＣＨ２−ＣＨ３、−ＣＯＯＨ、−ＳＯ３Ｈを表す）
を有する硫黄含有化合物；
又はその塩、互変異性形、ベタイン構造、及び
一般式（ＩＩ）
【化１０】
2014513214.tif 000010
（式中、
＝Ｘは＝Ｏ、孤立電子対を表し；
Ｒ３は−Ｒ５、−ＣＨ＝ＣＨ２、−ＣＨ２−ＣＨ＝ＣＨ２、−ＣＨ＝ＣＨ−ＣＨ３、−ＣＨ２−ＣＨ２−ＣＨ＝ＣＨ２、−ＣＨ２−ＣＨ＝ＣＨ−ＣＨ３、−ＣＨ＝ＣＨ−ＣＨ２−ＣＨ３、−Ｃ≡ＣＨ、−ＣＨ２−Ｃ≡ＣＨ、−Ｃ≡Ｃ−ＣＨ３、−ＣＨ２−ＣＨ２−Ｃ≡ＣＨ、−ＣＨ２−Ｃ≡Ｃ−ＣＨ３、−Ｃ≡Ｃ−ＣＨ２−ＣＨ３、−Ｃ（−ＮＨ２）＝ＮＨ、
【化１１】
2014513214.tif 000011
を表し；
Ｒ４は−Ｒ５、−ＯＲ５、−（ＣＨ２−）ｒ−ＣＨ（−ＮＨ２）−ＣＯＯＨ、−（ＣＨ２−）ｒ−ＣＨ（−ＮＨ−ＣＨ３）−ＣＯＯＨ、−（ＣＨ２−）ｒ−ＣＨ（−Ｎ（−ＣＨ３）２）−ＣＯＯＨ、−（ＣＨ２−）ｒ−ＣＨ（−ＮＨ２）−ＣＯ−ＯＣＨ３、−（ＣＨ２−）ｒ−ＣＨ（−ＮＨ２）−ＣＯ−ＯＣＨ２−ＣＨ３を表し；
ｒは０〜４の整数であり；
Ｒ３及びＲ４は一緒に式（ＩＩ）の中央の硫黄原子を含む以下の環構造
【化１２】
2014513214.tif 000012
のうちの１つを構成するための直鎖構造を表し；
Ｒ１０は−Ｈ、−ＣＨ３、−ＣＨ２−ＣＨ３、−ＣＨ２−ＣＨ２−ＳＯ３Ｈを表す）
を有する硫黄含有化合物；
又はその塩、互変異性形、ベタイン構造
から選択される着色剤の混合物
を含み、且つ塩化物イオンを含有しない、前記電気めっき浴。
【請求項３】
一般式（Ｉ）を有する硫黄含有化合物が、Ｒ２がＨである場合、Ｒ１がＨではないか又はＲ１がＨである場合、Ｒ２がＨではない化合物から選択される、請求項１又は２に記載の電気めっき浴。
【請求項４】
被めっき物上に黒色のクロム層を堆積させるための電気めっき浴であって、
（Ａ）３価クロムイオン；
（Ｂ）カルボキシレートイオン；
（Ｃ）少なくとも１種のｐＨ緩衝剤物質；及び
（Ｄ）一般式（Ｉａ）
【化１３】
2014513214.tif 000013
（式中、
Ｒ１１は−ＣＯＯＨ、−ＣＯ−ＯＣＨ３、−ＣＯ−ＯＣＨ２−ＣＨ３、−ＣＨ２−ＯＨを表し；
Ｒ１２及びＲ１３は互いに独立して−Ｈ、−ＣＨ３を表し；
Ｒ１４は−Ｈ、−ＣＨ３、−ＣＨ２−ＣＨ３、−ＣＨ２−ＣＨ２−ＣＨ３、−（ＣＨ２−）ｑ−ＣＯＯＨを表し；
ｎ及びｑは互いに独立して０〜４の整数である）
を有するか又は一般式（ＩＩ）
【化１４】
2014513214.tif 000014
（式中、
＝Ｘは＝Ｏ、孤立電子対を表し；
Ｒ３は−Ｒ５、−ＣＨ＝ＣＨ２、−ＣＨ２−ＣＨ＝ＣＨ２、−ＣＨ＝ＣＨ−ＣＨ３、−ＣＨ２−ＣＨ２−ＣＨ＝ＣＨ２、−ＣＨ２−ＣＨ＝ＣＨ−ＣＨ３、−ＣＨ＝ＣＨ−ＣＨ２−ＣＨ３、−Ｃ≡ＣＨ、−ＣＨ２−Ｃ≡ＣＨ、−Ｃ≡Ｃ−ＣＨ３、−ＣＨ２−ＣＨ２−Ｃ≡ＣＨ、−ＣＨ２−Ｃ≡Ｃ−ＣＨ３、−Ｃ≡Ｃ−ＣＨ２−ＣＨ３、−Ｃ（−ＮＨ２）＝ＮＨ、
【化１５】
2014513214.tif 000015
を表し；
Ｒ４は−Ｒ５、−ＯＲ５、−（ＣＨ２−）ｒ−ＣＨ（−ＮＨ２）−ＣＯＯＨ、−（ＣＨ２−）ｒ−ＣＨ（−ＮＨ−ＣＨ３）−ＣＯＯＨ、−（ＣＨ２−）ｒ−ＣＨ（−Ｎ（−ＣＨ３）２）−ＣＯＯＨ、−（ＣＨ２−）ｒ−ＣＨ（−ＮＨ２）−ＣＯ−ＯＣＨ３、−（ＣＨ２−）ｒ−ＣＨ（−ＮＨ２）−ＣＯ−ＯＣＨ２−ＣＨ３を表し；
ｒは０〜４の整数であり；
Ｒ３及びＲ４は一緒に式（ＩＩ）の中央の硫黄原子を含む以下の環構造
【化１６】
2014513214.tif 000016
のうちの１つを構成するための直鎖構造を表し；
Ｒ１０は−Ｈ、−ＣＨ３、−ＣＨ２−ＣＨ３、−ＣＨ２−ＣＨ２−ＳＯ３Ｈを表す）
を有する硫黄含有化合物又はその塩、互変異性形、ベタイン構造；又は式（Ｉａ）の化合物又はその塩、互変異性形、ベタイン構造の混合物；及び式（Ｉａ）及び（ＩＩ）の化合物又はその塩、互変異性形、ベタイン構造の混合物から選択される少なくとも１種の着色剤；及び
Ｅ）第一鉄イオン
を含む、前記電気めっき浴。
【請求項５】
被めっき物上に黒色のクロム層を堆積させるための電気めっき浴であって、前記電気めっき浴が、
（Ｅ’）３価クロムイオン；
（Ｆ）カルボキシレートイオン；
（Ｇ）少なくとも１種のｐＨ緩衝剤物質；及び
（Ｈ）一般式（Ｉａ）
【化１７】
2014513214.tif 000017
（式中、
Ｒ１１は−ＣＯＯＨ、−ＣＯ−ＯＣＨ３、−ＣＯ−ＯＣＨ２−ＣＨ３、−ＣＨ２−ＯＨを表し；
Ｒ１２及びＲ１３は互いに独立して−Ｈ、−ＣＨ３を表し；
Ｒ１４は−Ｈ、−ＣＨ３、−ＣＨ２−ＣＨ３、−ＣＨ２−ＣＨ２−ＣＨ３、−（ＣＨ２−）ｑ−ＣＯＯＨを表し；
ｎ及びｑは互いに独立して０〜４の整数である）
を有する硫黄含有化合物；
又はその塩、互変異性形、ベタイン構造、及び
一般式（ＩＩ）
【化１８】
2014513214.tif 000018
（式中、
＝Ｘは＝Ｏ、孤立電子対を表し；
Ｒ３は−Ｒ５、−ＣＨ＝ＣＨ２、−ＣＨ２−ＣＨ＝ＣＨ２、−ＣＨ＝ＣＨ−ＣＨ３、−ＣＨ２−ＣＨ２−ＣＨ＝ＣＨ２、−ＣＨ２−ＣＨ＝ＣＨ−ＣＨ３、−ＣＨ＝ＣＨ−ＣＨ２−ＣＨ３、−Ｃ≡ＣＨ、−ＣＨ２−Ｃ≡ＣＨ、−Ｃ≡Ｃ−ＣＨ３、−ＣＨ２−ＣＨ２−Ｃ≡ＣＨ、−ＣＨ２−Ｃ≡Ｃ−ＣＨ３、−Ｃ≡Ｃ−ＣＨ２−ＣＨ３、−Ｃ（−ＮＨ２）＝ＮＨ、
【化１９】
2014513214.tif 000019
を表し；
Ｒ４は−Ｒ５、−ＯＲ５、−（ＣＨ２−）ｒ−ＣＨ（−ＮＨ２）−ＣＯＯＨ、−（ＣＨ２−）ｒ−ＣＨ（−ＮＨ−ＣＨ３）−ＣＯＯＨ、−（ＣＨ２−）ｒ−ＣＨ（−Ｎ（−ＣＨ３）２）−ＣＯＯＨ、−（ＣＨ２−）ｒ−ＣＨ（−ＮＨ２）−ＣＯ−ＯＣＨ３、−（ＣＨ２−）ｒ−ＣＨ（−ＮＨ２）−ＣＯ−ＯＣＨ２−ＣＨ３を表し；
ｒは０〜４の整数であり；
Ｒ３及びＲ４は一緒に式（ＩＩ）の中央の硫黄原子を含む以下の環構造
【化２０】
2014513214.tif 000020
のうちの１つを構成するための直鎖構造を表し；
Ｒ１０は−Ｈ、−ＣＨ３、−ＣＨ２−ＣＨ３、−ＣＨ２−ＣＨ２−ＳＯ３Ｈを表す）
を有する硫黄含有化合物；
又はその塩、互変異性形、ベタイン構造
から選択される着色剤の混合物
を含み、且つ塩化物イオンを含有しない、前記電気めっき浴。
【請求項６】
被めっき物上に黒色のクロム層を堆積させるための電気めっき浴であって、
（Ａ）３価クロムイオン；
（Ｂ）カルボキシレートイオン；
（Ｃ）少なくとも１種のｐＨ緩衝剤物質；及び
（Ｄ）一般式（Ｉ）
【化２１】
2014513214.tif 000021
（式中、
ｎ、ｐ、ｑは互いに独立して０〜４の整数であり；
Ｒ１は−Ｈ、−ＯＨ、−ＣＯＯＨ、−ＣＯ−ＯＣＨ３、−ＣＯ−ＯＣＨ２−ＣＨ３、−（−Ｏ−ＣＨ２−ＣＨ２−）ｍ−ＯＨ、−ＣＨ（−ＮＨ２）−ＣＯＯＨ、−ＣＨ（−ＮＨ−ＣＨ３）−ＣＯＯＨ、−ＣＨ（−Ｎ（−ＣＨ３）２）−ＣＯＯＨ、−ＣＨ（−ＮＨ２）−ＣＯ−ＯＣＨ３、−ＣＨ（−ＮＨ２）−ＣＯ−ＯＣＨ２−ＣＨ３、−ＣＨ（−ＮＨ２）−ＣＨ２−ＯＨ、−ＣＨ（−ＮＨ−ＣＨ３）−ＣＨ２−ＯＨ、−ＣＨ（−Ｎ（−ＣＨ３）２）−ＣＨ２−ＯＨ、−ＳＯ３Ｈを表し；
ｍは５〜１５の整数を表し；
Ｒ２は−Ｈ、−ＯＨ、−（ＣＨ２−）ｐ−ＯＨ、−（ＣＨ２−）ｐ−Ｃ（−ＮＨ２）＝ＮＨ、−ＣＨ２−ＣＨ２−（−Ｏ−ＣＨ２−ＣＨ２−）ｍ−ＯＨ、−Ｒ５、−（ＣＨ２−）ｑ−ＣＯＯＨ、−（ＣＨ２−）ｑ−ＣＯ−ＯＣＨ３、−（ＣＨ２−）ｑ−ＣＯ−ＯＣＨ２−ＣＨ３、−（ＣＨ２−）ｑ−Ｓ−（ＣＨ２−）２−ＯＨ、−ＣＳ−ＣＨ３、−ＣＳ−ＣＨ２−ＣＨ３、−ＣＳ−ＣＨ２−ＣＨ２−ＣＨ３、−ＣＮ
【化２２】
2014513214.tif 000022
を表し；
Ｒ１及びＲ２は一緒に、式（Ｉ）の中央の硫黄原子を含む以下の環構造
【化２３】
2014513214.tif 000023
のうちの１つを構成するための直鎖構造を表し；
Ｒ５は−Ｈ、−ＣＨ３、−ＣＨ２−ＣＨ３、−ＣＨ２−ＣＨ２−ＣＨ３、−ＣＨ２−ＣＨ２−ＣＨ２−ＣＨ３を表し；
Ｒ６、Ｒ７、Ｒ８、Ｒ９は互いに独立して−Ｈ、−ＮＨ２、−ＳＨ、−ＯＨ、−ＣＨ３、−ＣＨ２−ＣＨ３、−ＣＯＯＨ、−ＳＯ３Ｈを表す）
を有するか又は一般式（ＩＩａ）
【化２４】
2014513214.tif 000024
（式中、
Ｒ１５が−Ｈ、−ＣＨ３、−ＣＨ２−ＣＨ３、−ＣＨ２−ＣＨ２−ＣＨ３を表し；
Ｒ１６及びＲ１７が互いに独立して−Ｈ、−ＣＨ３を表し；
Ｒ１８が−ＣＯＯＨ、−ＣＯ−ＯＣＨ３、−ＣＯ−ＯＣＨ２−ＣＨ３を表し；
＝Ｘは＝Ｏ、孤立電子対を表し、ｒは０〜４の整数である）
を有する硫黄含有化合物又はその塩、互変異性形、ベタイン構造；又は式（ＩＩａ）の化合物又はその塩、互変異性形、ベタイン構造の混合物；及び式（Ｉ）及び（ＩＩａ）の化合物又はその塩、互変異性形、ベタイン構造の混合物から選択される少なくとも１種の着色剤；及び
Ｅ）第一鉄イオン
を含む、前記電気めっき浴。
【請求項７】
被めっき物上に黒色のクロム層を堆積させるための電気めっき浴であって、前記電気めっき浴が、
（Ｅ’）３価クロムイオン；
（Ｆ）カルボキシレートイオン；
（Ｇ）少なくとも１種のｐＨ緩衝剤物質；及び
（Ｈ）一般式（Ｉ）
【化２５】
2014513214.tif 000025
（式中、
ｎ、ｐ、ｑは互いに独立して０〜４の整数であり；
Ｒ１は−Ｈ、−ＯＨ、−ＣＯＯＨ、−ＣＯ−ＯＣＨ３、−ＣＯ−ＯＣＨ２−ＣＨ３、−（−Ｏ−ＣＨ２−ＣＨ２−）ｍ−ＯＨ、−ＣＨ（−ＮＨ２）−ＣＯＯＨ、−ＣＨ（−ＮＨ−ＣＨ３）−ＣＯＯＨ、−ＣＨ（−Ｎ（−ＣＨ３）２）−ＣＯＯＨ、−ＣＨ（−ＮＨ２）−ＣＯ−ＯＣＨ３、−ＣＨ（−ＮＨ２）−ＣＯ−ＯＣＨ２−ＣＨ３、−ＣＨ（−ＮＨ２）−ＣＨ２−ＯＨ、−ＣＨ（−ＮＨ−ＣＨ３）−ＣＨ２−ＯＨ、−ＣＨ（−Ｎ（−ＣＨ３）２）−ＣＨ２−ＯＨ、−ＳＯ３Ｈを表し；
ｍは５〜１５の整数を表し；
Ｒ２は−Ｈ、−ＯＨ、−（ＣＨ２−）ｐ−ＯＨ、−（ＣＨ２−）ｐ−Ｃ（−ＮＨ２）＝ＮＨ、−ＣＨ２−ＣＨ２−（−Ｏ−ＣＨ２−ＣＨ２−）ｍ−ＯＨ、−Ｒ５、−（ＣＨ２−）ｑ−ＣＯＯＨ、−（ＣＨ２−）ｑ−ＣＯ−ＯＣＨ３、−（ＣＨ２−）ｑ−ＣＯ−ＯＣＨ２−ＣＨ３、−（ＣＨ２−）ｑ−Ｓ−（ＣＨ２−）２−ＯＨ、−ＣＳ−ＣＨ３、−ＣＳ−ＣＨ２−ＣＨ３、−ＣＳ−ＣＨ２−ＣＨ２−ＣＨ３、
【化２６】
2014513214.tif 000026
であり；
Ｒ１及びＲ２は一緒に、式（Ｉ）の中央の硫黄原子を含む以下の環構造
【化２７】
2014513214.tif 000027
のうちの１つを構成するための直鎖構造を表し；
Ｒ５は−Ｈ、−ＣＨ３、−ＣＨ２−ＣＨ３、−ＣＨ２−ＣＨ２−ＣＨ３、−ＣＨ２−ＣＨ２−ＣＨ２−ＣＨ３を表し；
Ｒ６、Ｒ７、Ｒ８、Ｒ９は互いに独立して−Ｈ、−ＮＨ２、−ＳＨ、−ＯＨ、−ＣＨ３、−ＣＨ２−ＣＨ３、−ＣＯＯＨ、−ＳＯ３Ｈを表す）
を有する硫黄含有化合物；
又はその塩、互変異性形、ベタイン構造、及び
一般式（ＩＩａ）
【化２８】
2014513214.tif 000028
（式中、
Ｒ１５が−Ｈ、−ＣＨ３、−ＣＨ２−ＣＨ３、−ＣＨ２−ＣＨ２−ＣＨ３を表し；
Ｒ１６及びＲ１７が互いに独立して−Ｈ、−ＣＨ３を表し；
Ｒ１８が−ＣＯＯＨ、−ＣＯ−ＯＣＨ３、−ＣＯ−ＯＣＨ２−ＣＨ３を表し；
＝Ｘは＝Ｏ、孤立電子対を表し、ｒは０〜４の整数である）
を有する硫黄含有化合物；
又はその塩、互変異性形、ベタイン構造
から選択される着色剤の混合物
を含み、且つ塩化物イオンを含有しない、前記電気めっき浴。
【請求項８】
Ｒ１が−ＯＨであり、且つ
Ｒ２が−（ＣＨ２−）ｑ−ＯＨ及び−（ＣＨ２−）ｑ−Ｓ−（ＣＨ２−）２−ＯＨからなる群から選択され；且つ
ｑが請求項１に規定された意味を有する、請求項１又は２に記載の電気めっき浴。
【請求項９】
Ｒ３及びＲ４が一緒に式（ＩＩ）の中央の硫黄原子を含む以下の環構造
【化２９】
2014513214.tif 000029
のうちの１つを構成するための直鎖構造を表し；
Ｒ１０が−Ｈ、−ＣＨ３、−ＣＨ２−ＣＨ３及び−ＣＨ２−ＣＨ２−ＳＯ３Ｈを表す、請求項１又は２に記載の電気めっき浴。
【請求項１０】
着色剤が、
（１）２−（２−ヒドロキシ−エチルスルファニル）−エタノール、
（２）チアゾリジン−２−カルボン酸、
（３）チオジグリコールエトキシラート、
（４）２−アミノ−３−エチルスルファニル−プロピオン酸、
（５）３−（３−ヒドロキシ−プロピルスルファニル）−プロパン−１−オール、
（６）２−アミノ−３−カルボキシメチルスルファニル−プロピオン酸、
（７）２−アミノ−４−メチルスルファニル−ブタン−１−オール、
（８）２−アミノ−４−メチルスルファニル−酪酸、
（９）２−アミノ−４−エチルスルファニル−酪酸、
（１０）３−カルバムイミドイルスルファニル−プロパン−１−スルホン酸、
（１１）３−カルバムイミドイルスルファニル−プロピオン酸、
（１２）チオモルホリン、
（１３）２−［２−（２−ヒドロキシ−エチルスルファニル）−エチルスルファニル］−エタノール、
（１４）４，５−ジヒドロ−チアゾール−２−イルアミン、
（１５）チオシアン酸、
（１６）２−アミノ−４−メタンスルフィニル−酪酸、
（１７）１，１−ジオキソ−１，２−ジヒドロ−１ラムダ＊６＊−ベンゾ［ｄ］イソチアゾール−３−オン、
（１８）プロプ−２−イン−１−スルホン酸、
（１９）メタンスルフィニルメタン、及び
（２０）２−（１，１，３−トリオキソ−１，３−ジヒドロ−１ラムダ＊６＊−ベンゾ［ｄ］イソチアゾール−２−イル）−エタンスルホン酸
を含む硫黄含有化合物の群から選択される、請求項１に記載の電気めっき浴。
【請求項１１】
着色剤が、
（１）２−（２−ヒドロキシ−エチルスルファニル）−エタノール、
（２）チアゾリジン−２−カルボン酸、
（３）チオジグリコールエトキシラート、
（４）２−アミノ−３−エチルスルファニル−プロピオン酸、
（５）３−（３−ヒドロキシ−プロピルスルファニル）−プロパン−１−オール、
（６）２−アミノ−３−カルボキシメチルスルファニル−プロピオン酸、
（７）２−アミノ−４−メチルスルファニル−ブタン−１−オール、
（８）２−アミノ−４−メチルスルファニル−酪酸、
（９）２−アミノ−４−エチルスルファニル−酪酸、
（１０）３−カルバムイミドイルスルファニル−プロパン−１−スルホン酸、
（１１）３−カルバムイミドイルスルファニル−プロピオン酸、
（１２）チオモルホリン、
（１３）２−［２−（２−ヒドロキシ−エチルスルファニル）−エチルスルファニル］−エタノール、
（１４）４，５−ジヒドロ−チアゾール−２−イルアミン、
（１６）２−アミノ−４−メタンスルフィニル−酪酸、
（１７）１，１−ジオキソ−１，２−ジヒドロ−１ラムダ＊６＊−ベンゾ［ｄ］イソチアゾール−３−オン、
（１８）プロプ−２−イン−１−スルホン酸、
（１９）メタンスルフィニルメタン、及び
（２０）２−（１，１，３−トリオキソ−１，３−ジヒドロ−１ラムダ＊６＊−ベンゾ［ｄ］イソチアゾール−２−イル）−エタンスルホン酸
を含む硫黄含有化合物の群から選択される、請求項２に記載の電気めっき浴。
【請求項１２】
塩化物イオンを更に含む、請求項１、４又は６に記載の電気めっき浴。
【請求項１３】
更に臭化物イオンを含む、請求項１、４又は６に記載の電気めっき浴。
【請求項１４】
第一鉄イオンを更に含む、請求項２、５又は７に記載の電気めっき浴。
【請求項１５】
一般式（Ｉ）、（Ｉａ）、（ＩＩ）又は（ＩＩａ）による着色剤の濃度が０．０１ｇ／Ｌ〜１００ｇ／Ｌの範囲である、請求項１から１４までのいずれか１項に記載の電気めっき浴。
【請求項１６】
第一鉄イオンの濃度が４０ｍｇ／Ｌ〜２８０ｍｇ／Ｌの範囲である、請求項１から１４までのいずれか１項に記載の電気めっき浴。
【請求項１７】
被めっき物の上に黒色クロム層を電気めっきする方法であって、請求項１から１６までのいずれか１項に規定された電気めっき浴を用いて前記被めっき物を電気めっきすることを含む前記方法。
【請求項１８】
請求項１７に規定される方法によって得られる被めっき物上の黒色クロム層。
【請求項１９】
請求項１７に規定される方法によって得られる被めっき物。